(57)【要約】【課題】  ユニットの大型化及びコストアップを極力抑えつつ、使用済みマスタを切断処理することによって機密漏洩を防止することが可能な孔版印刷装置を提供する。【解決手段】  版胴９と、版胴９上より使用済みマスタ４６を剥離する排版部材３８と、装置本体８に対して着脱自在な排版ボックスとを有する孔版印刷装置１において、装置本体８に複数種の排版ボックス４０Ａ，４０Ｂのうちの何れか１つを選択的に装着可能とし、装着された排版ボックスに応じて該排版ボックス内への使用済みマスタ４６の収納許容量を個別に変化させる収納許容量制御手段７６を設けた。【選択図】  図１
2006110892.tif 000002
【特許請求の範囲】
【請求項１】
版胴と、前記版胴上より使用済みマスタを剥離する排版部材と、前記排版部材によって前記版胴上より剥離された前記使用済みマスタを収納する、装置本体に対して着脱自在な排版ボックスとを有する孔版印刷装置において、
前記装置本体に複数種の排版ボックスのうちの何れか１つが選択的に装着可能であり、装着された排版ボックスに応じて該排版ボックス内への前記使用済みマスタの収納許容量を個別に変化させる収納許容量制御手段を有することを特徴とする孔版印刷装置。
【請求項２】
請求項１記載の孔版印刷装置において、
前記装置本体に装着された排版ボックスを識別する識別手段を有し、前記収納許容量制御手段は前記識別手段からの信号に基づいて前記収納許容量の制御を行うことを特徴とする孔版印刷装置。
【請求項３】
請求項２記載の孔版印刷装置において、
機密保持を行う機密保持モードを有し、前記複数の排版ボックスには前記機密保持モードが設定された場合においてのみ使用される機密保持用排版ボックスが含まれることを特徴とする孔版印刷装置。
【請求項４】
請求項３記載の孔版印刷装置において、
前記装置本体に前記機密保持用排版ボックスが装着されたときには、前記装置本体に他の排版ボックスが装着されたときに比して前記収納許容量制御手段が前記収納許容量を減少させることを特徴とする孔版印刷装置。
【請求項５】
請求項３または４記載の孔版印刷装置において、
前記機密保持モード時であって前記装置本体に前記機密保持用排版ボックスが装着されていない場合には不作動状態となることを特徴とする孔版印刷装置。
【請求項６】
請求項３ないし５の何れか１つに記載の孔版印刷装置において、
前記機密保持モードの解除は、モードの解除を指令した後、前記装置本体に前記他の排版ボックスが装着されたときに完了することを特徴とする孔版印刷装置。
【請求項７】
請求項３ないし６の何れか１つに記載の孔版印刷装置において、
前記使用済みマスタのサイズがＡ３サイズ、厚みが５５μｍ以下の場合には、前記機密保持モード時における前記収納許容量を１０版とすることを特徴とする孔版印刷装置。
【請求項８】
版胴と、前記版胴上より使用済みマスタを剥離する排版部材と、前記排版部材によって前記版胴上より剥離された前記使用済みマスタを収納する、装置本体に対して着脱自在な排版ボックスとを有する孔版印刷装置において、
前記排版ボックス内への前記使用済みマスタの収納許容量を設定する収納許容量設定手段を有することを特徴とする孔版印刷装置。
【請求項９】
請求項８記載の孔版印刷装置において、
機密保持を行う機密保持モードを有し、前記機密保持モードが設定された際には前記収納許容量の上限値を通常時での前記収納許容量の上限値よりも小さい所定の数値に自動的に変化させることを特徴とする孔版印刷装置。
【請求項１０】
請求項９記載の孔版印刷装置において、
前記使用済みマスタのサイズがＡ３サイズ、厚みが５５μｍ以下の場合には、前記機密保持モード時における前記収納許容量の上限値を１０版とすることを特徴とする孔版印刷装置。
【発明の詳細な説明】
【技術分野】
【０００１】
本発明は、孔版印刷装置の機密保持技術に関し、詳しくは版胴上から剥離された使用済みマスタの機密を保持するための技術に関する。
【背景技術】
【０００２】
多孔性の支持円筒体からなる版胴と、熱可塑性樹脂フィルムと多孔性支持体とを貼り合わせたラミネート構造のマスタとを用い、マスタの熱可塑性樹脂フィルム面をサーマルヘッド等の発熱体で加熱溶融穿孔製版した後に版胴に巻装し、版胴内部に設けられたインキ供給手段で版胴の内周面に適量のインキを供給して、プレスローラや圧胴等の押圧部材で印刷用紙を版胴に押圧することにより、版胴開孔部、マスタ穿孔部より滲出したインキを印刷用紙に転写させて印刷を行うデジタル式感熱孔版印刷装置がよく知られている。
【０００３】
この孔版印刷装置は、最近では製版動作、排版動作、給版動作、印刷動作等を連続的に行うことが可能な全自動タイプが主流であり、また、画像精度の向上並びに印刷コストの低下が達成されてきているため、ある程度の部数（およそ１０部）以上の画像形成を行うユーザでは複写機に代わって用いられている。この全自動タイプの孔版印刷装置では版胴の外周面上から使用済みのマスタを剥離する排版装置が設けられており、排版装置は版胴上からマスタを剥離する排版部材と剥離されたマスタを収納する排版ボックスとを有している。この排版装置は製版動作の開始前後に排版部材が作動し、版胴の外周面上から使用済みのマスタを剥離して排版ボックス内に収納する。
【０００４】
排版ボックス内に収納された使用済みのマスタは、排版ボックスが満杯となった時点で人手によって廃棄される。このとき、排版ボックス内に試験問題や部外秘資料等の機密を要する印刷を行った使用済みマスタが混在していると、この使用済みマスタに用紙を手で押圧して、あるいはこの使用済みマスタを孔版印刷装置に手で巻き付けた後に印刷して、あるいはこの使用済みマスタを読み取って、マスタに製版されている機密内容が漏洩してしまうという問題点がある。
【０００５】
そこで、使用済みマスタを搬送する排版部材として歯車付きのものを用い、使用済みマスタを裁断することにより内容の判別を不能とし、機密の漏洩を防止する技術が例えば「特許文献１」に開示されている。また、排版ボックス内に発熱手段を設け、この発熱手段を作動させて使用済みマスタを熱収縮させることにより内容の判別を不能とし、機密の漏洩を防止する技術が例えば「特許文献２」あるいは「特許文献３」に開示されている。
【０００６】
【特許文献１】特公平５−６１１０７号公報
【特許文献２】特許第２８２８４７９号公報
【特許文献３】特開２００２−８６８８２号公報
【発明の開示】
【発明が解決しようとする課題】
【０００７】
しかし「特許文献１」に開示された技術では、排版部材に多大な切断負荷が発生するために使用済みマスタが圧縮された状態ではその切断が困難となり、切断不良あるいはマスタ搬送ジャムが発生し易くなってしまう。これに対応するためには頑丈な歯車や高トルクの駆動モータが必要となり、ユニットが大型化してしまうと共にコストアップしてしまうという問題点がある。
【０００８】
また「特許文献２」あるいは「特許文献３」に開示された技術では、剥離廃棄されたばかりの使用済みマスタには多量のインキが付着しているため、この付着したインキに発熱手段の熱が奪われて使用済みマスタの熱収縮が不完全となり、内容の判別が可能となって機密が漏洩してしまうという問題点がある。これを解決するためには大きな発熱手段及び多量の発熱エネルギが必要となり、ユニットが大型化してしまうと共にコストアップしてしまうという問題点がある。
【０００９】
そこで本発明者は、種々の実験を行った結果、排版ボックス内で圧縮された状態のマスタであれば、自身の強度が高くなるためにはさみやカッタ等の切断部材あるいはシュレッダ等による切断が容易であることを見出した。しかし従来の孔版印刷装置では、排版ボックス内から使用済みマスタを廃棄する作業頻度を少なくさせるために、排版ボックス内にできるだけ多くの使用済みマスタを収容させる（およそ８０版以上）ように構成されており、この従来の構成では使用済みマスタの強度が高くなりすぎて切断部材あるいはシュレッダ等による切断を行うことができない。
【００１０】
本発明は上述した問題点を解決し、ユニットの大型化及びコストアップを極力抑えつつ、使用済みマスタを切断処理することによって機密漏洩を防止することが可能な孔版印刷装置の提供を目的とする。
【課題を解決するための手段】
【００１１】
請求項１記載の発明は、版胴と、前記版胴上より使用済みマスタを剥離する排版部材と、前記排版部材によって前記版胴上より剥離された前記使用済みマスタを収納する、装置本体に対して着脱自在な排版ボックスとを有する孔版印刷装置において、前記装置本体に複数種の排版ボックスのうちの何れか１つが選択的に装着可能であり、装着された排版ボックスに応じて該排版ボックス内への前記使用済みマスタの収納許容量を個別に変化させる収納許容量制御手段を有することを特徴とする。
【００１２】
請求項２記載の発明は、請求項１記載の孔版印刷装置において、さらに前記装置本体に装着された排版ボックスを識別する識別手段を有し、前記収納許容量制御手段は前記識別手段からの信号に基づいて前記収納許容量の制御を行うことを特徴とする。
【００１３】
請求項３記載の発明は、請求項２記載の孔版印刷装置において、さらに機密保持を行う機密保持モードを有し、前記複数の排版ボックスには前記機密保持モードが設定された場合においてのみ使用される機密保持用排版ボックスが含まれることを特徴とする。
【００１４】
請求項４記載の発明は、請求項３記載の孔版印刷装置において、さらに前記装置本体に前記機密保持用排版ボックスが装着されたときには、前記装置本体に他の排版ボックスが装着されたときに比して前記収納許容量制御手段が前記収納許容量を減少させることを特徴とする。
【００１５】
請求項５記載の発明は、請求項３または４記載の孔版印刷装置において、さらに前記機密保持モード時であって前記装置本体に前記機密保持用排版ボックスが装着されていない場合には不作動状態となることを特徴とする。
【００１６】
請求項６記載の発明は、請求項３ないし５の何れか１つに記載の孔版印刷装置において、さらに前記機密保持モードの解除は、モードの解除を指令した後、前記装置本体に前記他の排版ボックスが装着されたときに完了することを特徴とする。
【００１７】
請求項７記載の発明は、請求項３ないし６の何れか１つに記載の孔版印刷装置において、さらに前記使用済みマスタのサイズがＡ３サイズ、厚みが５５μｍ以下の場合には、前記機密保持モード時における前記収納許容量を１０版とすることを特徴とする。
【００１８】
請求項８記載の発明は、版胴と、前記版胴上より使用済みマスタを剥離する排版部材と、前記排版部材によって前記版胴上より剥離された前記使用済みマスタを収納する、装置本体に対して着脱自在な排版ボックスとを有する孔版印刷装置において、前記排版ボックス内への前記使用済みマスタの収納許容量を設定する収納許容量設定手段を有することを特徴とする。
【００１９】
請求項９記載の発明は、請求項８記載の孔版印刷装置において、さらに機密保持を行う機密保持モードを有し、前記機密保持モードが設定された際には前記収納許容量の上限値を通常時での前記収納許容量の上限値よりも小さい所定の数値に自動的に変化させることを特徴とする。
【００２０】
請求項１０記載の発明は、請求項９記載の孔版印刷装置において、さらに前記使用済みマスタのサイズがＡ３サイズ、厚みが５５μｍ以下の場合には、前記機密保持モード時における前記収納許容量の上限値を１０版とすることを特徴とする。
【発明の効果】
【００２１】
本発明によれば、識別手段からの信号に基づいて装置本体に装着されている排版ボックスを収納許容量制御手段が自動的に判断し、収納許容量制御手段が装着された排版ボックスに応じた動作プログラムを読み込んで孔版印刷装置に一連の動作を行わせると共に収納許容量を自動的に設定するので、通常印刷時には収納可能な許容量一杯まで使用済みマスタを排版ボックス内に収納させることで排版ボックスからの使用済みマスタの廃棄作業の頻度を減少させて作業効率を向上でき、機密保持モード時には切断処理を行うことが可能な許容量一杯まで使用済みマスタを排版ボックス内に収納させることで廃棄される使用済みマスタを切断処理して機密の漏洩を防止することができる。
【００２２】
また、本発明によれば、制御手段が設定された印刷モードに応じた動作プログラムを読み込んで孔版印刷装置に一連の動作を行わせると共に、機密保持モードが設定された際には収納許容量を通常印刷時よりも小さい値に自動的に設定するので、通常印刷時には設定された許容量まで使用済みマスタを排版ボックス内に収納させることで排版ボックスからの使用済みマスタの廃棄作業の頻度を減少させて作業効率を向上でき、機密保持モード時には切断処理を行うことが可能な許容量一杯まで使用済みマスタを排版ボックス内に収納させることで廃棄される使用済みマスタを切断処理して機密の漏洩を防止することができる。
【発明を実施するための最良の形態】
【００２３】
図１は、本発明の第１の実施形態を採用した孔版印刷装置を示している。同図において孔版印刷装置１は、印刷部２、製版部３、給紙部４、排紙部５、画像読取部６、排版部７等を有している。
【００２４】
装置本体８のほぼ中央部に配設された印刷部２は、版胴９とプレスローラ１０とを有している。多数の開孔が形成された開孔部及び非開孔部を有する多孔性支持板を外周面に有する版胴９は、図示しない版胴駆動モータによって設定された印刷速度に応じた回転周速度で回転駆動される。多孔性支持板の開孔部上には樹脂あるいは金属の網体からなるメッシュスクリーンが複数層巻装されており、多孔性支持板の非開孔部上にはマスタの先端を挟持するクランパ１１が開閉可能に設けられている。版胴９の内部には、版胴９の内周面にインキを供給する、支軸を兼ねたインキ供給パイプ１２、インキローラ１３、ドクターローラ１４等を有するインキ供給手段１５が配設されている。版胴９は、その外周面上にＡ３サイズの用紙に対して印刷を行うことが可能なマスタを巻装可能となるように、その外径及び開孔部の面積が設定されている。
【００２５】
版胴９の下方には、一対の図示しないアーム部材にその支軸両端を回転自在に支持されたプレスローラ１０が配設されている。プレスローラ１０は、各アーム部材が図示しない揺動手段によって揺動されることにより、その外周面を版胴９の外周面に対して接離自在に構成されている。
【００２６】
印刷部２の右上方には製版部３が配設されている。製版部３は、マスタロール支持部材１７、サーマルヘッド１８、プラテンローラ１９、マスタ切断手段２０、マスタ搬送ローラ対２１，２２、マスタストック手段１６等を有している。  
マスタロール支持部材１７は、熱可塑性樹脂フィルムと多孔性支持体とを貼り合わせてなるマスタ２３をロール状に巻成したマスタロール２３ａを回転自在かつ着脱自在に支持している。
【００２７】
サーマルヘッド１８は多数の発熱素子を有し、これらが選択的に発熱することによりマスタ２３の熱可塑性樹脂フィルムに穿孔製版を行う。サーマルヘッド１８にマスタ２３を押圧しつつ搬送するプラテンローラ１９は図示しないステッピングモータによって回転駆動される。固定刃である下刃と可動刃である上刃とを有するマスタ切断手段２０は、固定刃に対して可動刃が上下動あるいは回転移動することによりマスタ２３を切断する。
【００２８】
駆動ローラ及びこれに圧接された従動ローラからなるマスタ搬送ローラ対２１，２２は、プラテンローラ１９と共にマスタ２３を印刷部２に向けて搬送する。各マスタ搬送ローラ対２１，２２間に配設されたマスタストック手段１６は、製版された約１版分のマスタ２３を貯容する。
【００２９】
製版部３の下方には給紙部４が配設されている。給紙部４は、給紙トレイ２４、給紙ローラ２５、分離ローラ対２６、レジストローラ対２７等を有している。印刷に使用される用紙Ｐをその上面に積載する給紙トレイ２４は装置本体８に上下動自在に支持されており、図示しない昇降手段によって昇降される。給紙ローラ２５及び分離ローラ対２６は図示しない駆動力伝達手段によって駆動連結されており、共通の図示しないモータによって互いに同期して回転駆動される。レジストローラ対２７は図示しない版胴駆動手段と駆動連結されており、版胴９の回転に同期して回転駆動される。
【００３０】
印刷部２の左下方には排紙部５が配設されている。排紙部５は、剥離爪２８、排紙搬送手段２９、排紙トレイ３０等を有している。  
剥離爪２８は装置本体８に揺動自在に取り付けられており、図示しない爪揺動手段の作動によりその先端部が版胴９の外周面に近接する位置と離間する位置とを選択的に占める。剥離爪２８の下方には排紙搬送手段２９が配設されている。排紙搬送手段２９は、駆動ローラ３１、従動ローラ３２、無端ベルト３３、吸引ファン３４等を有しており、剥離爪２８によって版胴９の外周面より剥離された印刷済みの用紙Ｐを排紙トレイ３０に向けて搬送する。排紙搬送手段２９の用紙搬送方向下流側には排紙トレイ３０が配設されている。その上面に印刷済みの用紙Ｐを積載する排紙トレイ３０は、１対のサイドフェンス３５、１個のエンドフェンス３６を有している。
【００３１】
装置本体８の上部には画像読取部６が配設されている。画像読取部６は、印刷すべき原稿を載置するコンタクトガラス３７、原稿画像を走査して読み取る図示しない走査ユニット、走査された画像を集束する図示しない結像レンズ、集束後の画像を認識する図示しない画像センサ、画像センサより出力された画像をＡ／Ｄ変換する図示しないＡ／Ｄ変換器、複数枚の原稿を連続的に処理する図示しないＡＤＦユニット等を有している。
【００３２】
印刷部２の左上方には排版部７が配設されている。排版部７は、排版部材３８、圧縮板３９、排版ボックス４０Ａ，４０Ｂ等を有している。  
排版部材３８は上排版部材４１と下排版部材４２とを有している。上排版部材４１は駆動ローラ４３、従動ローラ４４、無端ベルト４５等を有しており、下排版部材４２も上排版部材４１と同様に、駆動ローラ４７、従動ローラ４８、無端ベルト４９を有している。各駆動ローラ４３，４７は同一の図示しない駆動手段によって互いに同期して回転駆動され、各無端ベルト４５，４９がそれぞれ図１の矢印方向に移動する。また上排版部材４１は図示しない移動手段によって移動されることにより、従動ローラ４４の周面上に位置する無端ベルト４５が版胴９の外周面上に巻装された使用済みマスタ４６に接触する位置と離間する位置とを選択的に占める。
【００３３】
下排版部材４２の駆動ローラ４７近傍の位置には排版センサ７５が配設されている。排版センサ７５は排版部材３８によって使用済みマスタ４６が搬送されてきたときにこれを検知し、後述する制御手段７６に向けて信号を出力する。排版センサ７５からの信号は使用済みマスタ４６を検知している間中出力され、これにより予め定められた所定時間よりも排版センサ７５からの出力信号が長時間出力されている場合には、制御手段７６は排版部材３８において使用済みマスタ４６の搬送ジャムが発生したと判断する。また、排版動作が開始されてから所定時間が経過しても排版センサ７５からの信号が出力されない場合には、制御手段７６は排版動作不良が発生したと判断する。
【００３４】
排版部材３８の左方には圧縮板３９が配設されている。圧縮板３９は図示しない昇降手段によって上下動自在に支持されており、排版部材３８によって版胴９の外周面上より剥離された使用済みマスタ４６が後述する排版ボックス４０Ａあるいは４０Ｂの内部に収納された後にこの使用済みマスタ４６を圧縮する。
【００３５】
圧縮板３９の下方には排版ボックス４０Ａあるいは４０Ｂのうちの何れか一方が選択的に配設される。各排版ボックス４０Ａ，４０Ｂは排版部材３８によって搬送される使用済みマスタ４６を収納可能である位置にそれぞれ配設され、装置本体８に対してそれぞれ着脱自在に設けられている。図２に示す排版ボックス４０Ａは通常の印刷を行う際に用いられ、図３に示す排版ボックス４０Ｂは機密保持を行う際に設定される、後述する機密保持モード時においてのみ使用される。以下、通常用排版ボックス４０Ａ、機密保持用排版ボックス４０Ｂとする。
【００３６】
図３に示すように、機密保持用排版ボックス４０Ｂには、その先端部寄りに溝部５０ａが形成された固定用のロックピン５０が植設されており、装置本体８の各排版ボックス４０Ａ，４０Ｂの装着位置におけるロックピン５０近傍の位置には後述する離脱禁止機構５１が配設されている。また、機密保持用排版ボックス４０Ｂには、各排版ボックス４０Ａ，４０Ｂを識別するための検知片５２が設けられている。ロックピン５０及び検知片５２は、通常用排版ボックス４０Ａには設けられていない。さらに各排版ボックス４０Ａ，４０Ｂには、取り扱い時に把持される取っ手４０ａがそれぞれ一体的に設けられている。各排版ボックス４０Ａ，４０Ｂは、図２及び図３中に符号Ａで示される方向に向けて装置本体８に挿入されることにより、それぞれ各図に示す装着位置に装着される。
【００３７】
装置本体８の各排版ボックス４０Ａ，４０Ｂ装着位置の近傍には、装置本体８に対して各排版ボックス４０Ａ，４０Ｂの何れかが装着されているか否かを検知する装着センサ５３が配設されている。装着センサ５３は近接センサであり、各排版ボックス４０Ａ，４０Ｂの何れかが装置本体８に装着されているときに後述する制御手段７６に向けて信号を出力する。装着センサ５３の下方には識別手段としての識別センサ５４が配設されている。近接センサである識別センサ５４は、装置本体８に機密保持用排版ボックス４０Ｂが装着されたときに検知片５２を検知し、制御手段７６に向けて信号を出力する。
【００３８】
離脱禁止機構５１は、図４に示すように、装置本体８に揺動自在に支持されたロック板５５、ロック板５５の揺動中心をなし装置本体８に固着された支軸５６、装置本体８に固着されたガイドピン５７、ロック板５５を揺動させるキープソレノイド５８、引張ばね５９、ロック板５５の位置を検知するマイクロスイッチ６０等を有している。
【００３９】
ガイドピン５７はロック板５５の下端に形成された長穴５５ａに摺動自在に係合しており、ロック板５５の揺動範囲を一定に保っている。キープソレノイド５８はそのプランジャ５８ａをロック板５５に取り付けられており、その作動を後述する制御手段７６によって制御される。引張ばね５９はその一端をロック板５５に他端を装置本体８にそれぞれ取り付けられており、ロック板５５に対して図４に矢印で示す向きへの回動付勢力を付与している。
【００４０】
ロック板５５の支軸５６とガイドピン５７との間の部位には、ロックピン５０が挿通可能な孔５５ｂが形成されている。孔５５ｂは、プランジャ５８ａが吸引されているロック板５５が初期位置を占めた状態で機密保持用排版ボックス４０Ｂが装置本体８に装着されたときに、ロックピン５０が挿通可能である位置に形成されている。この状態において、ロック板５５がマイクロスイッチ６０の検知片に当接し、マイクロスイッチ６０から制御手段７６に向けて信号が出力される。溝部５０ａの幅はロック板５５の板厚よりも大きく形成されており、機密保持用排版ボックス４０Ｂが装置本体８に装着されたときに孔５５ｂの周縁部が溝部５０ａに係合可能となるように構成されている。
【００４１】
上述の構成より、ロック板５５が初期位置を占めた状態において機密保持用排版ボックス４０Ｂの装置本体８への着脱が可能となっている。なお、通常用排版ボックス４０Ａは、ロック板５５の位置に拘わらず装置本体８への着脱が随時可能に構成されている。また、機密保持用排版ボックス４０Ｂが装置本体８に装着され、装着センサ５３及び識別センサ５４が共に検知信号を出力した状態においてキープソレノイド５８の作動が許容され、この状態からプランジャ５８ａが突出されてロック板５５が図４に矢印で示す方向に揺動されて係合位置を占めると、図４の吹き出し部に示すように孔５５ｂの周縁部と溝部５０ａとが係合して機密保持用排版ボックス４０Ｂの装置本体８からの離脱が禁止される。
【００４２】
図５は、孔版印刷装置１の操作パネルを示している。同図において装置本体８の上部前面に設けられた操作パネル６１は、その上面に製版スタートキー６２、印刷スタートキー６３、試し刷りキー６４、連続キー６５、クリア／ストップキー６６、テンキー６７、エンターキー６８、プログラムキー６９、モードクリアキー７０、印刷速度設定キー７１、７セグメントＬＥＤからなる表示装置７２、ＬＣＤからなる表示装置７３等の周知の構成の他、機密保持モードを設定する設定手段としての機密モードキー７４を有している。
【００４３】
図６は、孔版印刷装置１の制御手段のブロック図である。同図においてＣＰＵ、ＲＯＭ、ＲＡＭ等を有する周知のマイクロコンピュータからなる制御手段７６は装置本体８の内部に設けられている。制御手段７６には操作パネル６１からの動作信号及び各種センサからの検知信号等が入力され、制御手段７６は各信号に基づいて印刷部２、製版部３、給紙部４、排紙部５、画像読取部６、排版部７の動作をそれぞれ制御する。
【００４４】
制御手段７６のＲＯＭには孔版印刷装置１の動作プログラムが記憶されており、この動作プログラムとして機密モードキー７４が押されていない状態である通常印刷時と、機密モードキー７４が押された状態である機密保持モード時とがそれぞれ記憶されている。また制御手段７６は排版センサ７５からの出力信号をカウントする機能を有しており、各排版ボックス４０Ａ，４０Ｂ内に何版の使用済みマスタ４６が収納されたかを判断することが可能に構成されている。このカウント数は各排版ボックス４０Ａ，４０Ｂが装置本体８より取り外された際にリセットされ、これを基に各排版ボックス４０Ａ，４０Ｂが満杯であるか否かが判断される。各排版ボックス４０Ａ，４０Ｂの、満杯に相当する使用済みマスタ４６の収納版数である収納許容量は、通常印刷時と機密保持モード時すなわち通常用排版ボックス４０Ａと機密保持用排版ボックス４０Ｂとで異なっており、本実施形態において通常用排版ボックス４０Ａの収納許容量は８０版、機密保持用排版ボックス４０Ｂの収納許容量は１０版に設定されている。
【００４５】
ここで、機密保持用排版ボックス４０Ｂの収納許容量について説明する。この機密保持用排版ボックス４０Ｂには機密を要する使用済みマスタ４６が収納され、この機密を要する使用済みマスタ４６が排版ボックス４０Ｂから直接ゴミ箱に廃棄されると機密が漏洩する虞があり好ましくない。そこで、機密の漏洩を防止するため、排版ボックス４０Ｂから廃棄される使用済みマスタはシュレッダあるいはカッタ等によって切断処理を行う。このとき、使用済みマスタ４６の版数が多すぎると圧縮された使用済みマスタ４６の強度が高くなりすぎ、シュレッダあるいはカッタ等によって切断処理することができない。本発明者は排版ボックス内において圧縮される版数を変化させ、それぞれの場合においてシュレッダによって切断処理が可能であるか否かを実験した。その結果を表１に示す。
【００４６】
【表１】
2006110892.tif 000003
【００４７】
実験はそれぞれ厚みの異なる２種類のマスタ（大きさはそれぞれＡ３サイズ）を用い、Ｆｅｌｌｏｗｅｓ製シュレッダ型番ＰＳ８０Ｃ−２を用いて行った。この結果、厚みが５０μｍ以下程度のマスタでは１０版以下、４０μｍ程度のマスタでは１３版以下で良好な結果が得られた。このことから、機密保持用排版ボックス４０Ｂの収納許容量を１０版に設定している。上述のように制御手段７６には通常印刷時と機密保持モード時とでそれぞれ異なる２種類の収納許容量が記憶されており、装置本体８に装着された排版ボックスを識別センサ５４によって識別し、装着された排版ボックスに対応する収納許容量を制御手段７６が自動的に設定することから、制御手段７６は収納許容量制御手段として機能する。
【００４８】
上述の構成に基づき、以下に孔版印刷装置１の動作を説明する。先ず、機密モードキー７４が押されていない状態である通常印刷時における動作を説明する。この通常印刷時において、装置本体８には通常用排版ボックス４０Ａが装着されている。制御手段７６は、装着センサ５３からの信号に基づいて排版ボックスが装置本体８に装着されていることを認識した後、識別センサ５４からの信号が送られていないことから装着されている排版ボックスが通常用排版ボックス４０Ａであることを認識し、製版スタートキー６２が押下された際に図示しないＲＯＭから通常印刷時用の動作プログラムを読み込む。なお、装置本体８に通常用排版ボックス４０Ａが装着されておらず、装着センサ５３からの信号が入力されない場合には、製版スタートキー６２からの入力は無効化される。
【００４９】
オペレータは給紙部４に用紙Ｐを、画像読取部６に原稿をそれぞれセットした後に製版スタートキー６２を押下する。製版スタートキー６２が押下されると、図示しない版胴駆動モータが作動して版胴９が低速で回転駆動される。そして版胴９が所定の排版位置に達すると、版胴駆動モータの作動が停止して版胴９が停止される。版胴９の停止後、図示しない駆動手段が作動して駆動ローラ４３が図１において時計回り方向に回転駆動されると共に図示しない移動手段が作動して上排版部材４１が移動され、版胴９の外周面上に巻装されている使用済みマスタ４６の端部が上排版部材４１によってすくい上げられる。
【００５０】
上排版部材４１により使用済みマスタ４６の端部がすくい上げられると、版胴駆動モータ及び各駆動ローラ４３，４７が作動され、使用済みマスタ４６が各排版部材４１，４２によって挟持搬送される。このとき図示しない移動手段が再び作動され、上排版部材４１が図１に示す位置に戻される。各排版部材４１，４２によって挟持搬送された使用済みマスタ４６は、通常用排版ボックス４０Ａ内に収納された後に圧縮板３９によって圧縮される。使用済みマスタ４６が通常用排版ボックス４０Ａに収納される際に排版センサ７５より制御手段７６に向けて信号が送られ、この信号を受けた制御手段７６は排版数をカウントする。
【００５１】
上述の排版動作と並行して、画像読取部６では原稿画像の読取動作が行われる。コンタクトガラス３９上に載置された原稿の画像は図示しない走査ユニットの移動により走査され、図示しない結像レンズを介して図示しない画像センサに入力される。入力された画像データは図示しないＡ／Ｄ変換器を介して製版部３へと送られる。
【００５２】
排版動作と並行して、製版部３において製版動作が開始される。製版部３ではプラテンローラ１９及び各マスタ搬送ローラ対２１，２２が作動され、マスタロール２３ａよりマスタ２３が引き出される。引き出されたマスタ２３は、サーマルヘッド１８を通過する際に画像データに応じた製版画像を穿孔製版される。製版されたマスタ２３の先端がマスタ搬送ローラ対２２に挟持されるとマスタ搬送ローラ対２２の作動が停止され、製版されたマスタ２３はマスタ搬送ローラ対２１によって搬送されてマスタストック手段１６内に貯容される。そして排版動作が完了して版胴９が所定の給版待機位置に到達するとクランパ１１が開放され、その後マスタ搬送ローラ対２２が作動されてマスタ２３が搬送される。マスタ２３の先端がクランパ１１と対応する所定位置まで搬送されるとクランパ１１が閉じられ、製版されたマスタ２３が版胴９の外周面上に保持される。その後、版胴駆動モータが作動して版胴９が製版速度とほぼ同じ周速度で回転駆動され、製版されたマスタ２３が版胴９に巻装される。そして、マスタ２３が所定長さ搬送されるとマスタ切断手段２０が作動してマスタ２３が切断され、切断されたマスタ２３が版胴９によって巻き取られることにより巻装動作が完了する。
【００５３】
巻装動作完了後、給紙ローラ２５及び分離ローラ対２６が作動され、給紙トレイ２４上より１枚の用紙Ｐが分離給送されると共に、版胴駆動モータが作動して版胴９が低速で回転駆動される。給送された用紙Ｐはレジストローラ対２７で一時停止された後、版胴９に巻装されたマスタ２３の製版画像と対応するタイミングで版胴９とプレスローラ１０との接触位置に向けて送られる。そして、プレスローラ１０が揺動することにより用紙Ｐは版胴９上のマスタ２３に押圧され、その表面に画像を転写される。この押圧により版胴９の内部から供給されたインキが版胴９の多孔性支持板及びマスタ２３に行き渡り、いわゆる版付けが行われる。版付けされた用紙Ｐは剥離爪２８によって版胴９の外周面より剥離された後、排紙搬送手段２９によって搬送されて排紙トレイ３０上に排出され、版付け動作が完了して孔版印刷装置１は印刷待機状態となる。
【００５４】
孔版印刷装置１が印刷待機状態となると、続けて印刷動作が行われる。版付け動作完了後、オペレータにより印刷枚数及び印刷速度等の各種印刷条件が設定された後に印刷スタートキー６３が押下されると、版胴９が版付け時よりも高速である、印刷速度設定キー７１により設定された周速度で回転駆動されると共に給紙部４より用紙Ｐが連続的に給送される。給送された用紙Ｐは印刷部２において連続的に印刷された後、排紙部５へと送られて排紙トレイ３２上に排出される。そして、設定された印刷枚数が消化されると、版胴９がホームポジションに戻された後に孔版印刷装置１の各部の動作が停止され、孔版印刷装置１は再び印刷待機状態となる。
【００５５】
上述の排版動作時において、排版センサ７５より送られた信号を制御手段７６がカウントした際に、このカウント数が８０版に達すると通常用排版ボックス４０Ａが満杯であると判断され、通常用排版ボックス４０Ａから使用済みマスタ４６を廃棄するようにとの指示が表示装置７３になされる。この表示がなされると、通常用排版ボックス４０Ａが装置本体８から取り外されるまでは製版スタートキー６２からの入力は無効化される。
【００５６】
上述の通常印刷時において、装置本体８に通常用排版ボックス４０Ａに代えて機密保持用排版ボックス４０Ｂが装着されている場合には、製版スタートキー６２の押下時において孔版印刷装置１は上述と同様に動作を行う。
【００５７】
次に、オペレータにより機密モードキー７４が押下された機密保持モード時における動作を説明する。この機密保持モード時において、装置本体８には機密保持用排版ボックス４０Ｂが装着されている。制御手段７６は、装着センサ５３からの信号に基づいて排版ボックスが装置本体８に装着されていることを認識した後、識別センサ５４からの信号が送られていることから装着されている排版ボックスが機密保持用排版ボックス４０Ｂであることを認識し、製版スタートキー６２が押下された際に図示しないＲＯＭから機密保持モード用の動作プログラムを読み込む。なお、装置本体８に排版ボックスが装着されておらず装着センサ５３からの信号が入力されない場合、あるいは装置本体８に装着されている排版ボックスが通常用排版ボックス４０Ａであって識別センサ５４からの信号が入力されない場合には、製版スタートキー６２からの入力は無効化される。
【００５８】
オペレータにより給紙部４に用紙Ｐが、画像読取部６に原稿がそれぞれセットされた後に製版スタートキー６２が押下されると、制御手段７６より指令が送られてキープソレノイド５８が作動し、ロック板５５が係合位置を占めることにより機密保持用排版ボックス４０Ｂの装置本体８からの離脱が禁止される。その後、上述と同様に排版動作、読取動作、巻装動作、版付け動作が行われて孔版印刷装置１は印刷待機状態となる。その後、各種印刷条件が設定された後に印刷スタートキー６３が押下されると上述と同様に印刷動作が行われ、設定された印刷枚数が消化されると版胴９がホームポジションに戻された後に孔版印刷装置１の各部の動作が停止され、孔版印刷装置１は再び印刷待機状態となる。この機密保持モードでは、機密保持用排版ボックス４０Ｂの装置本体８からの離脱が禁止されていることから、排版ボックス４０Ｂ内から使用済みマスタ４６が持ち去られることによって機密が漏洩してしまうことを防止することができる。
【００５９】
上述の排版動作時において、排版センサ７５より送られた信号を制御手段７６がカウントした際に、このカウント数が１０版に達すると機密保持用排版ボックス４０Ｂが満杯であると判断され、制御手段７６より指令が送られてキープソレノイド５８が作動し、ロック板５５が初期位置を占めることにより機密保持用排版ボックス４０Ｂの装置本体８からの離脱が許容されると共に、機密保持用排版ボックス４０Ｂから使用済みマスタ４６を廃棄するようにとの指示が表示装置７３になされる。この表示がなされると、機密保持用排版ボックス４０Ｂが装置本体８から取り外されるまでは製版スタートキー６２からの入力は無効化される。
【００６０】
上述の構成によれば、識別センサ５４からの信号に基づいて装置本体８に装着されている排版ボックスを制御手段７６が自動的に判断し、制御手段７６が装着された排版ボックスに応じた動作プログラムを読み込んで孔版印刷装置１に一連の動作を行わせると共に収納許容量を自動的に設定するので、通常印刷時には収納可能な許容量一杯まで使用済みマスタ４６を通常用排版ボックス４０Ａに収納させることで通常用排版ボックス４０Ａからの使用済みマスタ４６の廃棄作業の頻度を減少させて作業効率を向上でき、機密保持モード時には切断処理を行うことが可能な許容量一杯まで使用済みマスタ４６を機密保持用排版ボックス４０Ｂに収納させることで廃棄される使用済みマスタ４６を切断処理して機密の漏洩を防止することができる。
【００６１】
上記実施形態では、機密保持モード時に機密保持用排版ボックス４０Ｂが満杯となった際にキープソレノイド５８を作動させ、ロック板５５を初期位置に移動させて機密保持用排版ボックス４０Ｂの装置本体８からの離脱を許容する構成としたが、所定の操作を行わないとキープソレノイド５８が作動せず、機密保持用排版ボックス４０Ｂの装置本体８からの離脱が禁止されたままの状態を保つ構成としてもよい。この構成によれば、機密の漏洩をより一層防止することができる。この構成とした場合、所定の操作が行われるまでは製版スタートキー６２からの入力は無効化される。
【００６２】
上記実施形態において、機密保持モードの解除は暗証コード入力等の適宜の操作によって行われるが、機密保持モードの解除を、暗証コード入力等の適宜の操作を行った際にキープソレノイド５８を作動させて機密保持用排版ボックス４０Ｂの装置本体８からの離脱を許容し、その後、装置本体８に通常用排版ボックス４０Ａが装着されて装着センサ５３からの信号が入力され識別センサ５４からの信号がされない状態となったときに行われる構成としてもよい。このような構成とすることにより、意図した排版ボックスとは異なる排版ボックスを装置本体８に装着する誤セットの発生を防止でき、操作性を向上することができる。
【００６３】
図７は、本発明の第２の実施形態を採用した孔版印刷装置を示している。この孔版印刷装置７７は、第１の実施形態で示した孔版印刷装置１と比較すると、排版ボックス４０Ａ，４０Ｂに代えて排版ボックス７８を用いる点、識別センサ５４を有していない点、操作パネル６１に代えて操作パネル７９を用いる点、制御手段７６に代えて制御手段８０を用いる点においてのみ相違しており、他の構成は同一である。
【００６４】
排版ボックス７８は、検知片５２を有していない点を除いて排版ボックス４０Ｂと同様に構成されており、装置本体８に対して着脱自在に構成されている。排版ボックス７８は、機密保持モードが設定された際に離脱禁止機構５１によって保持され、装置本体８からの離脱が禁止される。
【００６５】
図８は、本発明の第２の実施形態に用いられる操作パネルを示している。この操作パネル７９は、第１の実施形態で示した操作パネル６１と比較すると、収納許容量設定手段としての収納許容量設定キー８１を有している点においてのみ相違しており、他の構成は同一である。収納許容量設定キー８１は排版ボックス７８内に収納される使用済みマスタ４６の収納量を設定するためのものであり、図示の例では１０版まで収納が可能な第１段階から８０版まで収納が可能な第５段階まで段階的に設定が可能に構成されている。
【００６６】
図９は、本発明の第２の実施形態に用いられる制御手段のブロック図である。同図においてＣＰＵ、ＲＯＭ、ＲＡＭ等を有する周知のマイクロコンピュータからなる制御手段８０は装置本体８の内部に設けられており、この制御手段８０は操作パネル７９からの動作信号及び各種センサからの検知信号に基づいて印刷部２、製版部３、給紙部４、排紙部５、画像読取部６、排版部７の動作をそれぞれ制御する。
【００６７】
制御手段８０のＲＯＭには孔版印刷装置７７の動作プログラムが記憶されており、この動作プログラムとして機密モードキー７４が押されていない状態である通常印刷時と、機密モードキー７４が押された状態である機密保持モード時とがそれぞれ記憶されている。また制御手段８０は排版センサ７５からの出力信号をカウントする機能を有しており、排版ボックス７８内に何版の使用済みマスタ４６が収納されたかを判断することが可能に構成されている。このカウント数は排版ボックス７８が装置本体８より取り外された際にリセットされ、これを基に排版ボックス７８が満杯であるか否かが判断される。排版ボックス７８の満杯に相当する収納許容量は収納許容量設定キー８１の設定によって変化し、本実施形態では第１段階に設定された際には１０版、第２段階に設定された際には２５版、第３段階に設定された際には４０版、第４段階に設定された際には６０版、第５段階に設定された際には８０版となるように構成されている。
【００６８】
上述の構成に基づき、以下に孔版印刷装置７７の動作を説明する。先ず、機密モードキー７４が押されていない状態である通常印刷時における動作を説明する。この通常印刷時において、制御手段８０は装置本体８に排版ボックス７８が装着されていることを装着センサ５３からの信号に基づいて認識した後、製版スタートキー６２が押下された際に図示しないＲＯＭから通常印刷時用の動作プログラムを読み込む。なお、装置本体８に排版ボックス７８が装着されておらず、装着センサ５３からの信号が入力されない場合には、製版スタートキー６２からの入力は無効化される。
【００６９】
オペレータは、給紙部４に用紙Ｐを画像読取部６に原稿をそれぞれセットし、収納許容量設定キー８１により収納許容量を設定した後に製版スタートキー６２を押下する。この通常印刷時における収納許容量は、第１段階ないし第５段階の何れにも設定が可能である。製版スタートキー６２が押下されると、第１の実施形態と同様に排版動作、読取動作、巻装動作、版付け動作が行われて孔版印刷装置７７は印刷待機状態となる。その後、各種印刷条件が設定された後に印刷スタートキー６３が押下されると第１の実施形態と同様に印刷動作が行われ、設定された印刷枚数が消化されると版胴９がホームポジションに戻された後に孔版印刷装置７７の各部の動作が停止され、孔版印刷装置７７は再び印刷待機状態となる。
【００７０】
上述の排版動作時において、排版センサ７５より送られた信号を制御手段８０がカウントした際に、このカウント数が収納許容量設定キー８１によって設定された版数に達すると排版ボックス７８が満杯であると判断され、排版ボックス７８から使用済みマスタ４６を廃棄するようにとの指示が表示装置７３になされる。この表示がなされると、排版ボックス７８が装置本体８から取り外されるまでは製版スタートキー６２からの入力は無効化される。
【００７１】
次に、オペレータによって機密モードキー７４が押下された機密保持モード時における動作を説明する。制御手段８０は装置本体８に排版ボックス７８が装着されていることを装着センサ５３からの信号に基づいて認識した後、製版スタートキー６２が押下された際に図示しないＲＯＭから機密保持モード時用の動作プログラムを読み込む。なお、装置本体８に排版ボックス７８が装着されておらず、装着センサ５３からの信号が入力されない場合には、製版スタートキー６２からの入力は無効化される。
【００７２】
オペレータは、給紙部４に用紙Ｐを画像読取部６に原稿をそれぞれセットして製版スタートキー６２を押下する。この機密保持モード時における収納許容量は、制御手段８０によって第１段階に強制的に設定される。製版スタートキー６２が押下されると、第１の実施形態と同様に離脱禁止機構５１が作動して排版ボックス７８の装置本体８からの離脱が禁止された後、排版動作、読取動作、巻装動作、版付け動作が行われて孔版印刷装置７７は印刷待機状態となる。その後、各種印刷条件が設定された後に印刷スタートキー６３が押下されると上述と同様に印刷動作が行われ、設定された印刷枚数が消化されると版胴９がホームポジションに戻された後に孔版印刷装置７７の各部の動作が停止され、孔版印刷装置７７は再び印刷待機状態となる。この第２の実施形態での機密保持モード時においても第１の実施形態の場合と同様に排版ボックス７８の装置本体８からの離脱が禁止されていることから、排版ボックス７８内から使用済みマスタ４６が持ち去られることによって機密が漏洩してしまうことを防止することができる。
【００７３】
上述の排版動作時において、排版センサ７５より送られた信号を制御手段８０がカウントした際に、このカウント数が１０版に達すると排版ボックス７８が満杯であると判断され、制御手段８０より指令が送られてキープソレノイド５８が作動し、ロック板５５が初期位置を占めることにより排版ボックス７８の装置本体８からの離脱が許容されると共に、排版ボックス７８から使用済みマスタ４６を廃棄するようにとの指示が表示装置７３になされる。この表示がなされると、排版ボックス７８が装置本体８から取り外されるまでは製版スタートキー６２からの入力は無効化される。
【００７４】
上述の構成によれば、制御手段８０が設定された印刷モードに応じた動作プログラムを読み込んで孔版印刷装置１に一連の動作を行わせると共に、機密保持モードが設定された際には収納許容量を通常印刷時よりも小さい値に自動的に設定するので、通常印刷時には設定された許容量まで使用済みマスタ４６を排版ボックス７８内に収納させることで排版ボックスからの使用済みマスタの廃棄作業の頻度を減少させて作業効率を向上でき、機密保持モード時には切断処理を行うことが可能な許容量一杯まで使用済みマスタ４６を排版ボックス７８内に収納させることで廃棄される使用済みマスタ４６を切断処理して機密の漏洩を防止することができる。
【００７５】
上記実施形態では、機密保持モード時に排版ボックス７８が満杯となった際にキープソレノイド５８を作動させ、ロック板５５を初期位置に移動させて排版ボックス７８の装置本体８からの離脱を許容する構成としたが、所定の操作を行わないとキープソレノイド５８が作動せず、排版ボックス７８の装置本体８からの離脱が禁止されたままの状態を保つ構成としてもよい。この構成によれば、機密の漏洩をより一層防止することができる。この構成とした場合、所定の操作が行われるまでは製版スタートキー６２からの入力は無効化される。
【００７６】
上記実施形態では、排版ボックス７８内への使用済みマスタ４６の収納許容量を収納許容量設定キー８１によって段階的に設定する構成としたが、テンキー６７を用いて収納許容量を直接的に入力する構成としてもよい。この場合、通常印刷時における収納許容量の上限値を例えば８０版とし、機密保持モード時における収納許容量の上限値を例えば１０版として、この上限値以内での入力が可能な構成とすれば上記実施形態と同様の作用効果を得ることができる。
【００７７】
また、上記各実施形態では機密保持モード時における各排版ボックス４０Ｂ，７８の収納許容量を１０版としたが、この収納許容量は使用済みマスタ４６の厚み及び使用済みマスタ４６を切断するシュレッダあるいはカッタ等の能力によって適宜変更される。このことから、機密保持モード時における収納許容量を設定する手段を設ける構成とすることにより、より一層操作性を向上することができる。この収納許容量を設定する手段としては、使用するマスタの種類を入力すると自動的に収納許容量を設定する構成を採用することも可能である。
【図面の簡単な説明】
【００７８】
【図１】本発明の第１の実施形態を適用した孔版印刷装置の概略正面図である。
【図２】本発明の一実施形態に用いられる通常用排版ボックスを説明する概略図である。
【図３】本発明の一実施形態に用いられる機密保持用排版ボックスを説明する概略図である。
【図４】本発明の第１及び第２の実施形態に用いられる離脱禁止機構を説明する概略斜視図である。
【図５】本発明の第１の実施形態に用いられる操作パネルの概略図である。
【図６】本発明の第１の実施形態に用いられる制御手段のブロック図である。
【図７】本発明の第２の実施形態を適用した孔版印刷装置の概略正面図である。
【図８】本発明の第２の実施形態に用いられる操作パネルの概略図である。
【図９】本発明の第２の実施形態に用いられる制御手段のブロック図である。
【符号の説明】
【００７９】
１，７７  孔版印刷装置
８  装置本体
９  版胴
３８  排版部材
４０Ａ  他の排版ボックス（通常用排版ボックス）
４０Ｂ  機密保持用排版ボックス
４６  使用済みマスタ
５４  識別手段（識別センサ）
７６  収納許容量制御手段（制御手段）
７８  排版ボックス
８１  収納許容量設定手段（収納許容量設定キー）
【図１】
2006110892.tif 000004
【図２】
2006110892.tif 000005
【図３】
2006110892.tif 000006
【図４】
2006110892.tif 000007
【図５】
2006110892.tif 000008
【図６】
2006110892.tif 000009
【図７】
2006110892.tif 000010
【図８】
2006110892.tif 000011
【図９】
2006110892.tif 000012